(57)【要約】【課題】サブウーファーチャンネルを含む複数チャンネルの信号を適切に補正することが可能な信号補正装置を提供する。【解決手段】サブウーファーチャンネルを含む複数チャンネルのオーディオ信号を補正する信号補正装置は、複数チャンネルの周波数特性を調整するイコライザと、複数チャンネルにおいてサブウーファーチャンネルを除くチャンネルから出力された測定用信号に応じた検出信号を出力する集音部と、検出信号に基づいて、イコライザが周波数特性の調整に使用するイコライザ利得値を決定する利得値決定部と、を備え、利得値決定部は、複数チャンネルの全てで同じ値をイコライザ利得値として決定する。これにより、サブウーファーチャンネルを含めた複数チャンネルにおける位相整合を実現することができる。【選択図】図７
2014146966.tif 000002
【特許請求の範囲】
【請求項１】
サブウーファーチャンネルを含む複数チャンネルのオーディオ信号を補正する信号補正装置であって、
前記複数チャンネルの周波数特性を調整するイコライザと、
前記複数チャンネルにおいて前記サブウーファーチャンネルを除くチャンネルから出力された測定用信号に応じた検出信号を出力する集音部と、
前記検出信号に基づいて、前記イコライザが周波数特性の調整に使用するイコライザ利得値を決定する利得値決定部と、
を備え、
前記利得値決定部は、前記複数チャンネルの全てで同じ値を前記イコライザ利得値として決定することを特徴とする信号補正装置。
【請求項２】
前記利得値決定部は、前記サブウーファーチャンネルに適用するイコライザ利得値については、前記サブウーファーの再生周波数帯域のみ、前記複数チャンネルにおいて前記サブウーファーチャンネル以外のチャンネルに適用するイコライザ利得値と同一の値にすることを特徴とする請求項１に記載の信号補正装置。
【請求項３】
前記利得値決定部は、重低音帯域では前記イコライザ利得値を「０」にすることを特徴とする請求項１又は２に記載の信号補正装置。
【請求項４】
前記利得値決定部は、前記検出信号に基づいて全帯域について決定されたイコライザ利得値から、前記検出信号に基づいて前記重低音帯域について決定されたイコライザ利得値を差し引くことによって、前記重低音帯域のイコライザ利得値を「０」にすることを特徴とする請求項３に記載の信号補正装置。
【請求項５】
サブウーファーチャンネルを含む複数チャンネルのオーディオ信号を補正する信号補正装置によって実行される制御方法であって、
前記複数チャンネルの周波数特性を調整するイコライザ工程と、
前記複数チャンネルにおいて前記サブウーファーチャンネルを除くチャンネルから出力された測定用信号に応じた検出信号を出力する集音工程と、
前記検出信号に基づいて、前記イコライザ工程にて周波数特性の調整に使用するイコライザ利得値を決定する利得値決定工程と、
を備え、
前記利得値決定工程は、前記複数チャンネルの全てで同じ値を前記イコライザ利得値として決定することを特徴とする制御方法。
【請求項６】
サブウーファーチャンネルを含む複数チャンネルのオーディオ信号を補正すると共に、コンピュータを有する信号補正装置によって実行されるプログラムであって、
前記コンピュータを、
前記複数チャンネルの周波数特性を調整するイコライザ手段と、
前記複数チャンネルにおいて前記サブウーファーチャンネルを除くチャンネルから出力された測定用信号に応じた検出信号を出力する集音手段と、
前記検出信号に基づいて、前記イコライザ手段にて周波数特性の調整に使用するイコライザ利得値を決定する利得値決定手段と、
として機能させ、
前記利得値決定手段は、前記複数チャンネルの全てで同じ値を前記イコライザ利得値として決定することを特徴とするプログラム。
【発明の詳細な説明】
【技術分野】
【０００１】
本発明は、複数のスピーカを備えるオーディオシステムにおいて音場特性を自動的に補正する技術分野に関する。
【背景技術】
【０００２】
この種の技術が、例えば特許文献１に提案されている。特許文献１には、複数チャンネルの中で位相を一致させるべきチャンネルについて同一のイコライザ利得値（イコライザにて周波数特性を調整するための補正パラメータであり、言い換えるとイコライザ係数）を決定することにより、チャンネル間の位相の不一致による影響を軽減することを図った技術が提案されている。
【先行技術文献】
【特許文献】
【０００３】
【特許文献１】特開２００２−３３０４９９号公報
【発明の概要】
【発明が解決しようとする課題】
【０００４】
ところで、従来の技術では、サブウーファーチャンネルを除いたメインチャンネルについて、イコライザによる補正が行われていた。つまり、従来の技術では、基本的には、サブウーファーチャンネルについてはイコライザによる補正が行われていなかった。したがって、全チャンネルの位相を整合させることを図ったとしても、サブウーファーチャンネルだけ他のチャンネルとは異なる位相特性となってしまう傾向にあった。そのため、音響空間（視聴環境）においてサブーファーチャンネルの信号とその他のチャンネルの信号とが位相干渉を起こすことで、理想的な音場再生が実現できない場合があった。
【０００５】
本発明が解決しようとする課題としては、上記のものが一例として挙げられる。本発明は、サブウーファーチャンネルを含む複数チャンネルの信号を適切に補正することが可能な信号補正装置などを提供することを目的とする。
【課題を解決するための手段】
【０００６】
請求項に記載の発明では、サブウーファーチャンネルを含む複数チャンネルのオーディオ信号を補正する信号補正装置は、前記複数チャンネルの周波数特性を調整するイコライザと、前記複数チャンネルにおいて前記サブウーファーチャンネルを除くチャンネルから出力された測定用信号に応じた検出信号を出力する集音部と、前記検出信号に基づいて、前記イコライザが周波数特性の調整に使用するイコライザ利得値を決定する利得値決定部と、を備え、前記利得値決定部は、前記複数チャンネルの全てで同じ値を前記イコライザ利得値として決定することを特徴とする。
【０００７】
また、請求項に記載の発明では、サブウーファーチャンネルを含む複数チャンネルのオーディオ信号を補正する信号補正装置によって実行される制御方法は、前記複数チャンネルの周波数特性を調整するイコライザ工程と、前記複数チャンネルにおいて前記サブウーファーチャンネルを除くチャンネルから出力された測定用信号に応じた検出信号を出力する集音工程と、前記検出信号に基づいて、前記イコライザ工程にて周波数特性の調整に使用するイコライザ利得値を決定する利得値決定工程と、を備え、前記利得値決定工程は、前記複数チャンネルの全てで同じ値を前記イコライザ利得値として決定することを特徴とする。
【０００８】
また、請求項に記載の発明では、サブウーファーチャンネルを含む複数チャンネルのオーディオ信号を補正すると共に、コンピュータを有する信号補正装置によって実行されるプログラムは、前記コンピュータを、前記複数チャンネルの周波数特性を調整するイコライザ手段と、前記複数チャンネルにおいて前記サブウーファーチャンネルを除くチャンネルから出力された測定用信号に応じた検出信号を出力する集音手段と、前記検出信号に基づいて、前記イコライザ手段にて周波数特性の調整に使用するイコライザ利得値を決定する利得値決定手段と、として機能させ、前記利得値決定手段は、前記複数チャンネルの全てで同じ値を前記イコライザ利得値として決定することを特徴とする。
【図面の簡単な説明】
【０００９】
【図１】本実施例の信号補正装置を備えるオーディオシステムの構成を示すブロック図である。
【図２】図１に示す信号処理回路の内部構成を示すブロック図である。
【図３】図２に示す信号処理部の構成を示すブロック図である。
【図４】図２に示す係数演算部の構成を示すブロック図である。
【図５】図４に示す周波数特性補正部、チャンネル間レベル補正部及び遅延特性補正部の構成を示すブロック図である。
【図６】ある音場環境におけるスピーカの配置例を示す図である。
【図７】全チャンネル位相整合モードを説明するための図である。
【図８】問題３を説明するための図である。
【図９】イコライザ補正値設定処理を示すフローチャートである。
【図１０】音源信号再生処理を示すフローチャートである。
【発明を実施するための形態】
【００１０】
本発明の１つの観点では、サブウーファーチャンネルを含む複数チャンネルのオーディオ信号を補正する信号補正装置は、前記複数チャンネルの周波数特性を調整するイコライザと、前記複数チャンネルにおいて前記サブウーファーチャンネルを除くチャンネルから出力された測定用信号に応じた検出信号を出力する集音部と、前記検出信号に基づいて、前記イコライザが周波数特性の調整に使用するイコライザ利得値を決定する利得値決定部と、を備え、前記利得値決定部は、前記複数チャンネルの全てで同じ値を前記イコライザ利得値として決定する。
【００１１】
上記の信号補正装置によれば、サブウーファーチャンネルを含む複数チャンネルの全てで同一のイコライザ利得値を用いて、複数チャンネルの周波数特性を調整する。これにより、サブウーファーチャンネルを含めた複数チャンネルにおける位相整合を実現することができる。よって、サブウーファーチャンネルの再生帯域内の位相を他のチャンネルと一致させることができ、音響空間でも弱めあうなどの干渉のない、理想的な音場空間を実現することが可能となる。なお、本明細書では、「周波数特性」は、周波数位相特性ではなく、周波数振幅特性を意味するものとする。
【００１２】
また、上記の信号補正装置においては、複数チャンネルにおいてサブウーファーチャンネルを除くチャンネルから出力された測定用信号に基づいて、イコライザ利得値を決定する。これにより、低域が不足するような再生音が出力されたり、再生できない帯域を無理に出力させようとすることで、スピーカに負担を与えたり、異音を感じさせたりする、といった不具合の発生を適切に抑制することができる。
【００１３】
上記の信号補正装置の一態様では、前記利得値決定部は、前記サブウーファーチャンネルに適用するイコライザ利得値については、前記サブウーファーの再生周波数帯域のみ、前記複数チャンネルにおいて前記サブウーファーチャンネル以外のチャンネルに適用するイコライザ利得値と同一の値にする。これにより、サブウーファーチャンネルにとっては特に必要ではない帯域についてイコライザ利得値を適用してイコライザ補正することなく、複数チャンネルにおける位相整合を実現することができる。また、計算機（ＤＳＰ等）の処理量を軽減でき、コストを削減することが可能となる。
【００１４】
上記の信号補正装置の他の一態様では、前記利得値決定部は、重低音帯域では前記イコライザ利得値を「０」にする。これにより、サブウーファーの音色に違和感が生じるといった問題や、重低音が出力されない等のサブウーファーのレベルについての問題を適切に抑制することができる。なお、「重低音帯域」は、１つの例では、サブウーファーの再生周波数帯域の中でも低周波数である帯域に相当する。
【００１５】
上記の信号補正装置において好適には、前記利得値決定部は、前記検出信号に基づいて全帯域について決定されたイコライザ利得値から、前記検出信号に基づいて前記重低音帯域について決定されたイコライザ利得値を差し引くことによって、前記重低音帯域のイコライザ利得値を「０」にすることができる。
【００１６】
本発明の他の観点では、サブウーファーチャンネルを含む複数チャンネルのオーディオ信号を補正する信号補正装置によって実行される制御方法は、前記複数チャンネルの周波数特性を調整するイコライザ工程と、前記複数チャンネルにおいて前記サブウーファーチャンネルを除くチャンネルから出力された測定用信号に応じた検出信号を出力する集音工程と、前記検出信号に基づいて、前記イコライザ工程にて周波数特性の調整に使用するイコライザ利得値を決定する利得値決定工程と、を備え、前記利得値決定工程は、前記複数チャンネルの全てで同じ値を前記イコライザ利得値として決定する。
【００１７】
また、本発明の他の観点では、サブウーファーチャンネルを含む複数チャンネルのオーディオ信号を補正すると共に、コンピュータを有する信号補正装置によって実行されるプログラムは、前記コンピュータを、前記複数チャンネルの周波数特性を調整するイコライザ手段と、前記複数チャンネルにおいて前記サブウーファーチャンネルを除くチャンネルから出力された測定用信号に応じた検出信号を出力する集音手段と、前記検出信号に基づいて、前記イコライザ手段にて周波数特性の調整に使用するイコライザ利得値を決定する利得値決定手段と、として機能させ、前記利得値決定手段は、前記複数チャンネルの全てで同じ値を前記イコライザ利得値として決定する。
【実施例】
【００１８】
以下、図面を参照して本発明の好適な実施例について説明する。
【００１９】
［システム構成］
以下では、本実施例に係る信号補正装置の実施例を、図面を参照して説明する。
【００２０】
図１は、本実施例に係る信号補正装置を備えたオーディオシステム１００の構成を示すブロック図である。
【００２１】
図１において、本オーディオシステム１００には、ＤＶＤ（Digital Video Disc又はDigital Versatile Disc）、ＢＤ（Blu-Ray Disc）プレーヤ等の音源１から複数チャンネルの信号伝送路を通じてデジタルオーディオ信号ＳＦＬ、ＳＦＲ、ＳＣ、ＳＳＬ、ＳＳＲ、ＳＷＦ、ＳＳＢＬ及びＳＳＢＲが供給される信号処理回路２と、測定用信号発生器３とが設けられている。
【００２２】
なお、本オーディオシステムは複数チャンネルの信号伝送路を含むが、以下の説明では各チャンネルをそれぞれ「ＦＬチャンネル」、「ＦＲチャンネル」などと表現することがある。また、信号及び構成要素の表現において複数チャンネルの全てについて言及する時は参照符号の添え字を省略する場合がある。また、個別チャンネルの信号及び構成要素に言及する時はチャンネルを特定する添え字を参照符号に付す。例えば、「デジタルオーディオ信号Ｓ」と言った場合は全チャンネルのデジタルオーディオ信号ＳＦＬ〜ＳＳＢＲを意味し、「デジタルオーディオ信号ＳＦＬ」と言った場合はＦＬチャンネルのみのデジタルオーディオ信号を意味するものとする。
【００２３】
更に、オーディオシステム１００は、信号処理回路２によりチャンネル毎に信号処理されたデジタル出力ＤＦＬ〜ＤＳＢＲをアナログ信号に変換するＤ／Ａ変換器４ＦＬ〜４ＳＢＲと、これらのＤ／Ａ変換器４ＦＬ〜４ＳＢＲから出力される各アナログオーディオ信号を増幅する増幅器５ＦＬ〜５ＳＢＲとを備えている。これらの増幅器５で増幅した各アナログオーディオ信号ＳＰＦＬ〜ＳＰＳＢＲを、図６に例示するようなリスニングルーム７等に配置された複数チャンネルのスピーカ６ＦＬ〜６ＳＢＲに供給して鳴動させるようになっている。
【００２４】
また、オーディオシステム１００は、受聴位置ＲＶにおける再生音を集音するマイクロホン８と、マイクロホン８から出力される集音信号ＳＭを増幅する増幅器９と、増幅器９の出力をデジタルの集音データＤＭに変換して信号処理回路２に供給するＡ／Ｄ変換器１０とを備えている。
【００２５】
ここで、便宜的に、オーディオ周波数帯域を、３１Ｈｚ帯域〜１６ｋＨｚ帯域のオクターブバンド（所定の周波数を中心にして上限と下限との周波数の比率が１オクターブになる周波数の幅を意味する）にて分割する。そして、低域再生専用のスピーカ６ＷＦ（以下では適宜「サブウーファー６ＷＦ」と呼ぶ。）は、重低音（３１Ｈｚ帯域）及び低音（６３Ｈｚ帯域）を再生することとし、スピーカ６ＦＬ、６ＦＲ、６Ｃ、６ＳＬ、６ＳＲは、重低音（３１Ｈｚ帯域）以外のオーディオ帯域６３Ｈｚ〜１６ｋＨｚ帯域を再生することとする。これにより、オーディオシステム１００は、受聴位置ＲＶにおける受聴者に対して臨場感のある音場空間を提供する。
【００２６】
各スピーカの配置としては、例えば、図６に示すように、ＩＴＵ−Ｒ勧告(ITU-R BS775-1)に基づき、受聴位置ＲＶの前方に、左右２チャンネルのフロントスピーカ６ＦＬ、６ＦＲとセンタースピーカ６Ｃを配置する。また、受聴位置ＲＶの後方に、左右２チャンネルのサラウンドスピーカ６ＳＬ、６ＳＲを配置し、更にその後方に、左右２チャンネルのサラウンドスピーカ６ＳＢＬ、６ＳＢＲを配置する。加えて、任意の位置に低域再生専用のサブウーファー６ＷＦを配置する。オーディオシステム１００に備えられた信号補正装置は、周波数特性、各チャンネルの信号レベル及び信号到達遅延特性を補正したアナログオーディオ信号ＳＰＦＬ〜ＳＰＳＢＲをこれら８個のスピーカ６ＦＬ〜６ＳＢＲに供給して鳴動させることで、臨場感のある音場空間を実現する。
【００２７】
信号処理回路２は、デジタルシグナルプロセッサ（Digital Signal Processor：ＤＳＰ）等で形成されており、図２に示すように、大別して信号処理部２０と、係数演算部３０とから構成される。信号処理部２０は、ＤＶＤ、ＢＤその他の各種音楽ソースを再生する音源１から複数チャンネルのデジタルオーディオ信号を受け取り、各チャンネル毎に周波数特性補正、レベル補正及び遅延特性補正を施してデジタル出力信号ＤＦＬ〜ＤＳＢＲを出力する。係数演算部３０は、マイクロホン８で集音された信号をデジタルの集音データＤＭとして受け取り、周波数特性補正、レベル補正及び遅延特性補正のための係数信号ＳＦ１〜ＳＦ８、ＳＧ１〜ＳＧ８、ＳＤＬ１〜ＳＤＬ８をそれぞれ生成して信号処理部２０へ供給する。マイクロホン８からの集音データＤＭに基づいて信号処理部２０が適切な周波数特性補正、レベル補正及び遅延特性補正を行うことにより、各スピーカ６から最適な信号が出力される。
【００２８】
信号処理部２０は、図３に示すようにグラフィックイコライザＧＥＱと、チャンネル間アッテネータＡＴＧ１〜ＡＴＧ８と、遅延回路ＤＬＹ１〜ＤＬＹ８とを備えている。一方、係数演算部３０は、図４に示すように、システムコントローラＭＰＵと、周波数特性補正部１１と、チャンネル間レベル補正部１２と、遅延特性補正部１３とを備えている。周波数特性補正部１１、チャンネル間レベル補正部１２及び遅延特性補正部１３はＤＳＰを構成している。
【００２９】
周波数特性補正部１１は、グラフィックイコライザＧＥＱのイコライザＥＱ１〜ＥＱ５、ＥＱ７、ＥＱ８（サブウーファー６ＷＦ以外のチャンネルに対応するイコライザ）の周波数特性を調整する。チャンネル間レベル補正部１２は、チャンネル間アッテネータＡＴＧ１〜ＡＴＧ８の減衰率を調整する。遅延特性補正部１３は、遅延回路ＤＬＹ１〜ＤＬＹ８の遅延時間を調整する。このような周波数特性補正部１１、チャンネル間レベル補正部１２及び遅延特性補正部１３により、所望の音場補正が行われる。
【００３０】
ここで、ＷＦチャンネル（サブウーファー６ＷＦのチャンネル）以外の各チャンネルについては、６３Ｈｚ〜１６ｋＨｚ帯域までをオクターブバンドにて分割した９つの帯域（各帯域の中心周波数をｆ１〜ｆ９とする。）ごとに、イコライザＥＱの係数（イコライザ利得値／イコライザ係数）が決定されて、周波数特性の補正がなされる。なお、「ｆ１＝６３Ｈｚ」、「ｆ２＝１２５Ｈｚ」、「ｆ３＝２５０Ｈｚ」、「ｆ４＝５００Ｈｚ」、「ｆ５＝１ｋＨｚ」、「ｆ６＝２ｋＨｚ」、「ｆ７＝４ｋＨｚ」、「ｆ８＝８ｋＨｚ」、「ｆ９＝１６ｋＨｚ」である。
【００３１】
オーディオシステム１００は、動作モードとして自動音場補正モードと音源信号再生モードの２つのモードを有する。自動音場補正モードは、音源１からの信号再生に先だって行われる調整モードであり、システム１００の設置された環境について自動音場補正を行う。その後、音源信号再生モードでＤＶＤなどの音源１からの音響信号が再生される。
【００３２】
図３を参照すると、ＦＬチャンネルのイコライザＥＱ１には、音源１からのデジタルオーディオ信号ＳＦＬの入力をオン／オフ制御するスイッチ素子ＳＷ１２と、測定用信号発生器３からの測定用信号ＤＮの入力をオン／オフ制御するスイッチ素子ＳＷ１１が接続され、スイッチ素子ＳＷ１１はスイッチ素子ＳＷＮを介して測定用信号発生器３に接続されている。
【００３３】
スイッチ素子ＳＷ１１、ＳＷ１２、ＳＷＮは、図４に示すマイクロプロセッサで形成されたシステムコントローラＭＰＵによって制御され、音源信号再生時には、スイッチ素子ＳＷ１２がオン（導通）、スイッチ素子ＳＷ１１とＳＷＮがオフ（非導通）となり、音場補正時には、スイッチ素子ＳＷ１２がオフ、スイッチ素子ＳＷ１１とＳＷＮがオンとなる。
【００３４】
また、イコライザＥＱ１の出力接点には、チャンネル間アッテネータＡＴＧ１が接続され、チャンネル間アッテネータＡＴＧ１の出力接点には遅延回路ＤＬＹ１が接続されている。そして、遅延回路ＤＬＹ１の出力ＤＦＬが、図１中のＤ／Ａ変換器４ＦＬに供給される。
【００３５】
他のチャンネルもＦＬチャンネルと同様の構成となっており、スイッチ素子ＳＷ１１に相当するスイッチ素子ＳＷ２１〜ＳＷ８１と、スイッチ素子ＳＷ１２に相当するスイッチ素子ＳＷ２２〜ＳＷ８２が設けられている。そして、これらのスイッチ素子ＳＷ２１〜ＳＷ８２に続いて、イコライザＥＱ２〜ＥＱ８と、チャンネル間アッテネータＡＴＧ２〜ＡＴＧ８と、遅延回路ＤＬＹ２〜ＤＬＹ８が備えられ、遅延回路ＤＬＹ２〜ＤＬＹ８の出力ＤＦＲ〜ＤＳＢＲが図１中のＤ／Ａ変換器４ＦＲ〜４ＳＢＲに供給される。
【００３６】
更に、各チャンネル間アッテネータＡＴＧ１〜ＡＴＧ８は、チャンネル間レベル補正部１２からの調整信号ＳＧ１〜ＳＧ８に従って０ｄＢからマイナス側の範囲で減衰率を変化させる。また、各チャンネルの遅延回路ＤＬＹ１〜ＤＬＹ８は、位相特性補正部１３からの調整信号ＳＤＬ１〜ＳＤＬ８に従って入力信号の遅延時間を変化させる。
【００３７】
図５は、図４に示す周波数特性補正部１１、チャンネル間レベル補正部１２及び遅延特性補正部１３の構成を示すブロック図である。
【００３８】
周波数特性補正部１１は、各チャンネルの周波数特性を所望の特性となるように調整する機能を有する。図５（Ａ）に示すように、周波数特性補正部１１は、バンドパスフィルタ１１ａ、係数テーブル１１ｂ、利得演算部１１ｃ、係数決定部１１ｄ、及び係数テーブル１１ｅを備えて構成される。なお、周波数特性補正部１１は、本発明における「利得値決定部」の一例に相当する。
【００３９】
バンドパスフィルタ１１ａは、イコライザＥＱ１〜ＥＱ８に設定されている９個の帯域を通過させる複数の狭帯域デジタルフィルタで構成されており、Ａ／Ｄ変換器１０からの集音データＤＭを周波数ｆ１〜ｆ９と中心とする９つの周波数帯域に弁別することにより、各周波数帯域のレベルを示すデータ［ＰｘＪ］を利得演算部１１ｃに供給する。「ｘ」はチャンネル番号１〜８であり、「Ｊ」は周波数帯域番号１〜９である。なお、バンドパスフィルタ１１ａの周波数弁別特性は、係数テーブル１１ｂに予め記憶されているフィルタ係数データによって設定される。
【００４０】
利得演算部１１ｃは、帯域毎のレベルを示すデータ［ＰｘＪ］に基づいて、自動音場補正時のイコライザＥＱ１〜ＥＱ８の利得（ゲイン）を周波数帯域毎に演算し、演算した利得データ［ＧｘＪ］を係数決定部１１ｄに供給する。即ち、予め既知となっているイコライザＥＱ１〜ＥＱ８の伝達関数にデータ［ＰｘＪ］を適用することで、イコライザＥＱ１〜ＥＱ８の周波数帯域毎の利得（ゲイン）を逆算する。
【００４１】
係数決定部１１ｄは、図４に示すシステムコントローラＭＰＵの制御下でイコライザＥＱ１〜ＥＱ８の周波数特性を調節するためのフィルタ係数調整信号ＳＦ１〜ＳＦ８を生成する。係数決定部１１ｄは、利得演算部１１ｃから供給される周波数帯域毎の利得データ［ＧｘＪ］によって係数テーブル１１ｅからイコライザＥＱ１〜ＥＱ８の周波数特性を調節するためのフィルタ係数データを読み出し、このフィルタ係数データのフィルタ係数調整信号ＳＦ１〜ＳＦ８によりイコライザＥＱ１〜ＥＱ８の周波数特性を調節する。
【００４２】
即ち、係数テーブル１１ｅには、イコライザＥＱ１〜ＥＱ８の周波数特性を様々に調節するためのフィルタ係数データが予めルックアップテーブルとして記憶されており、係数決定部１１ｄが利得データ［ＧｘＪ］に対応するフィルタ係数データを読み出し、その読み出したフィルタ係数データをフィルタ係数調整信号ＳＦ１〜ＳＦ８として各イコライザＥＱ１〜ＥＱ８に供給することで、チャンネル毎に周波数特性を調整する。
【００４３】
なお、上記したフィルタ係数調整信号ＳＦは、イコライザＥＱにて周波数特性を調整するために用いられる補正パラメータに対応する信号であり、「イコライザ利得値」に相当するものである（言い換えると「イコライザ係数」に相当する）。以下では、イコライザＥＱにて行われる周波数特性の調整を適宜「イコライザ補正」と呼び、イコライザＥＱにて周波数特性を調整するために用いられる補正パラメータ（イコライザ利得値）を適宜「イコライザ補正値」と呼ぶ。
【００４４】
チャンネル間レベル補正部１２は、各チャンネルを通じて出力される音響信号の音圧レベルを均一にする役割を有する。具体的には、測定用信号発生器３から出力される測定用信号（ピンクノイズ）ＤＮによって各スピーカ６ＦＬ〜６ＳＢＲを個別に鳴動させたときに得られる集音データＤＭを順に入力し、その集音データＤＭに基づいて、受聴位置ＲＶにおける各スピーカの再生音のレベルを測定する。
【００４５】
チャンネル間レベル補正部１２の概略構成を図５（Ｂ）に示す。Ａ／Ｄ変換器１０から出力される集音データＤＭはレベル検出部１２ａに入力される。なお、チャンネル間レベル補正部１２は、基本的に各チャンネルの信号の全帯域に対して一律にレベルの減衰処理を行うので帯域分割は不要であり、よって図５（Ａ）の周波数特性補正部１１に見られるようなバンドバスフィルタを含まない。
【００４６】
レベル検出部１２ａは集音データＤＭのレベルを検出し、各チャンネルについての出力オーディオ信号レベルが一定となるように利得調整を行う。具体的には、レベル検出部１２ａは検出した集音データのレベルと基準レベルとの差を示すレベル調整量を生成し、調整量決定部１２ｂへ出力する。調整量決定部１２ｂはレベル検出部１２ａから受け取ったレベル調整量に対応する利得調整信号ＳＧ１〜ＳＧ８を生成して各チャンネル間アッテネータＡＴＧ１〜ＡＴＧ８へ供給する。各チャンネル間アッテネータＡＴＧ１〜ＡＴＧ８は、利得調整信号ＳＧ１〜ＳＧ５に応じて各チャンネルのオーディオ信号の減衰率を調整する。このチャンネル間レベル補正部１２の減衰率調整により、各チャンネル間のレベル調整（利得調整）が行われ、各チャンネルの出力オーディオ信号レベルが均一となる。
【００４７】
遅延特性補正部１３は、各スピーカの位置と受聴位置ＲＶとの間の距離差に起因する信号遅延を調整する、即ち、本来同時に受聴者が聴くべき各スピーカ６からの出力信号が受聴位置ＲＶに到達する時刻がずれることを防止する役割を有する。よって、遅延特性補正部１３は、測定用信号発生器３から出力される測定用信号ＤＮによって各スピーカ６を個別に鳴動させたときに得られる集音データＤＭに基づいて各チャンネルの遅延特性を測定し、その測定結果に基づいて音場空間の位相特性を補正する。
【００４８】
具体的には、図３に示すスイッチ素子ＳＷ１１〜ＳＷ８２を順次切り換えることにより、測定用信号発生器３から発生された測定用信号ＤＮを各チャンネル毎に各スピーカ６から出力し、これをマイクロホン８により集音して対応する集音データＤＭを生成する。測定用信号を例えばインパルスなどのパルス性信号とすると、スピーカ８からパルス性の測定用信号を出力した時刻と、それに対応するパルス信号がマイクロホン８により受信された時刻との差は、各チャンネルのスピーカ６とマイクロホン８との距離に比例することになる。よって、測定より得られた各チャンネルの遅延時間のうち、最も遅延量の大きいチャンネルの遅延時間に残りのチャンネルの遅延時間を合わせることにより、各チャンネルのスピーカ６と受聴位置ＲＶとの距離差を吸収することができる。よって、各チャンネルのスピーカ６から発生する信号間の遅延を等しくすることができ、複数のスピーカ６から出力された時間軸上で一致する時刻の音響が同時に受聴位置ＲＶに到達することになる。
【００４９】
図５（Ｃ）に遅延特性補正部の構成を示す。遅延量演算部１３ａは集音データＤＭを受け取り、パルス性測定用信号と集音データとの間のパルス遅延量に基づいて、各チャンネル毎に音場環境による信号遅延量を演算する。遅延量決定部１３ｂは遅延量演算部１３ａから各チャンネル毎に信号遅延量を受け取り、一時的にメモリ１３ｃに記憶する。全てのチャンネルについての信号遅延量が演算され、メモリ１３ｃに記憶された状態で、調整量決定部１３ｂは最も大きい信号遅延量を有するチャンネルの再生信号が受聴位置ＲＶに到達するのと同時に他のチャンネルの再生信号が受聴位置ＲＶに到達するように、各チャンネルの調整量を決定し、調整信号ＳＤＬ１〜ＳＤＬ８を各チャンネルの遅延回路ＤＬＹ１〜ＤＬＹ８に供給する。各遅延回路ＤＬＹ１〜ＤＬＹ８は調整信号ＳＤＬ１〜ＳＤＬ８に応じて遅延量を調整する。こうして、各チャンネルの遅延特性の調整が行われる。
【００５０】
［信号補正処理］
次に、本実施例に係る信号補正処理（自動音場補正処理）における基本的な原理について説明する。本実施例では、「サブウーファーＥＱフラグ」、「全チャンネルパワー合成フラグ」、及び「６３Ｈｚ帯域０ｄＢ固定フラグ」を用いて各種の処理を行う。以下では、これらのフラグを用いた処理について具体的に説明する。
【００５１】
（１）サブウーファーＥＱフラグ
本実施例では、ＷＦチャンネル（サブウーファー６ＷＦのチャンネル）以外の全てのチャンネルについて同一のイコライザ補正値（イコライザ利得値）を適用することで、チャンネル間の位相差を無くした音場補正を実現するためのモード（以下では「全チャンネル位相整合モード」と呼ぶ。）を用いる。そして、全チャンネル位相整合モードでは、ＷＦチャンネル以外のチャンネルにおいて所定の低音帯域に適用されたイコライザ補正値を、ＷＦチャンネルにも適用すべく、サブウーファーＥＱフラグをオン（sw_eq_flag＝１）に設定する。つまり、本実施例では、ＷＦチャンネル以外のチャンネルにおいて所定の低音帯域に適用されたイコライザ補正値をＷＦチャンネルにコピーして、ＷＦチャンネルについてのイコライザ補正を行う。
【００５２】
これにより、ＷＦチャンネルを含めた複数チャンネルにおける位相整合を実現することができる。よって、ＷＦチャンネルの再生帯域内の位相を他のチャンネルと一致させることができ、音響空間でも弱めあうなどの干渉のない、理想的な音場空間を実現することが可能となる。
【００５３】
なお、上記した所定の低音帯域は、サブウーファー６ＷＦの再生帯域に応じた帯域であり、例えば重低音（３１Ｈｚ帯域）及び低音（６３Ｈｚ帯域）を含む帯域である。また、サブウーファーＥＱフラグがオフである場合には（sw_eq_flag＝０）、ＷＦチャンネルについてはイコライザ補正が行われない。
【００５４】
図７は、本実施例に係る全チャンネル位相整合モードを具体的に説明するための図を示している。図７（Ａ）及び（Ｂ）では、Ｃチャンネル、ＦＬチャンネル、ＦＲチャンネル、ＳＬチャンネル、ＳＲチャンネル、及びＷＦチャンネルのそれぞれに適用されるイコライザ補正値の具体例を示している。このイコライザ補正値は、イコライザＥＱによるイコライザ補正で用いられる補正カーブに相当し、横軸に周波数ｆが示され、縦軸にイコライザ補正値ｇａｉｎが示されたグラフにて表される。なお、図７（Ａ）及び（Ｂ）では、説明の便宜上、ＳＢＬチャンネル及びＳＢＲチャンネルについては図示を省略している。
【００５５】
図７（Ａ）は、比較のために、通常の音場補正（全チャンネル位相整合モードが設定されていない場合に行われる音場補正）において用いられるイコライザ補正値の具体例を示している。通常の音場補正においては、各チャンネルごとにイコライザ補正値が決定されて適用される。また、通常の音場補正においては、ＷＦチャンネルについてはイコライザ補正値が適用されない（つまりイコライザ補正が行われない）。
【００５６】
図７（Ｂ）は、全チャンネル位相整合モードが設定されている場合に行われる音場補正において用いられるイコライザ補正値の具体例を示している。全チャンネル位相整合モードでは、Ｃチャンネルと、ＦＬチャンネルと、ＦＲチャンネルと、ＳＬチャンネルと、ＳＲチャンネルとで、同一のイコライザ補正値が決定されて適用される。また、全チャンネル位相整合モードでは、サブウーファーＥＱフラグがオンに設定されることで、ＷＦチャンネルにもイコライザ補正値が適用される。具体的には、ＷＦチャンネル以外のチャンネルにおいて低音帯域Ｂ１に適用されたイコライザ補正値のみが、ＷＦチャンネルにおける低音帯域Ｂ１にコピーされて適用される。例えば、低音帯域Ｂ１としては、６３Ｈｚ帯域、１２５Ｈｚ帯域及び２５０Ｈｚ帯域（つまり低域３バンド）が用いられる。
【００５７】
このように６３Ｈｚ帯域、１２５Ｈｚ帯域及び２５０Ｈｚ帯域のイコライザ補正値のみをＷＦチャンネルに適用する理由は、以下の通りである。本実施例に係る構成は、例えば音にこだわる高級志向のユーザに利用されることを想定している。そのため、サブウーファー６ＷＦ使用時の再生帯域設定は、１００Ｈｚ以下に設定されることが多いと考えられる。これは、１００Ｈｚ以上の周波数に設定すると、音の方向性が検知しやすくなり、中低域以上の音像に影響を与えてしまうからである。このような使用のされ方を鑑み、ＷＦチャンネル以外のチャンネルにおいて６３Ｈｚ帯域、１２５Ｈｚ帯域及び２５０Ｈｚ帯域に適用されたイコライザ補正値のみを、ＷＦチャンネルにコピーしてイコライザ補正を施すこととした。これにより、必要以上の帯域をコピー及びイコライザ補正することなく、全チャンネル位相整合補正を実現することができると共に、計算機（ＤＳＰ等）の処理量を軽減でき、コストを削減することが可能となる。
【００５８】
なお、１００Ｈｚ以上である１２５Ｈｚ帯域及び２５０Ｈｚ帯域についてもイコライザ補正値をコピーしてイコライザ補正を施しているのは、動作マージンという理由の他に、イコライザＥＱの隣接バンドへの影響を考慮したものである。
【００５９】
（２）全チャンネルパワー合成フラグ
また、本実施例では、全チャンネル位相整合モードにおいて各チャンネルのイコライザ補正値を決定するに当たって、ＷＦチャンネルの音響特性を敢えて使用せず、ＷＦチャンネル以外のチャンネルの音響特性の測定結果のみを使用するために、全チャンネルパワー合成フラグをオン（all_ch_pow_mix_flag＝１）に設定する。つまり、本実施例では、全チャンネル位相整合モードにおいて、ＷＦチャンネルを除いた全チャンネルより同時に測定用信号を出力させることで、上記したようなイコライザ補正値（ＷＦチャンネル以外のチャンネルで共通のイコライザ補正値）を決定する。なお、全チャンネルパワー合成フラグがオフである場合には（all_ch_pow_mix_flag＝０）、全チャンネルから同時に測定用信号を出力させずに、各チャンネルから個別に測定用信号を出力させることで、各チャンネルで別々にイコライザ補正値が決定される。
【００６０】
ここで、上記のようにイコライザ補正値を決定するに当たってＷＦチャンネルの音響特性を使用しないのは、ＷＦチャンネルの音響特性を使用すると以下のような問題１、２が発生し得るからである。つまり、本実施例では、以下の問題１、２を回避するために、ＷＦチャンネル以外のチャンネルの音響特性の測定結果のみを使用してイコライザ補正値を決定する。
【００６１】
（問題１）
本実施例に係る構成は、例えば音にこだわる高級志向のユーザに利用されることを想定している。具体的には、比較的大きなスピーカ６を使用し、ＷＦチャンネル以外のチャンネルの低域の信号をサブウーファー６ＷＦに送るような処理を用いないユーザに利用されることを想定している。したがって、音源再生時には、ＷＦチャンネルは、ＬＦＥ（Low Frequency Effect）チャンネルのみの信号が入力され、それを出力することになる。ＬＦＥチャンネルは、独立したチャンネルであるので、例えば製作者の意図で映画の爆発音などの録音チャンネルとして効果的に利用される（逆にほとんど利用されない時もある）。仮に、ＷＦチャンネルの音響特性も込みで使用することによって全チャンネルの周波数特性補正を行うと、ＷＦチャンネルから相応の音が出ていることを見込んで補正することになる。そのため、音源再生時において、音源にＬＦＥチャンネルの信号が記録されていない期間では、ＷＦチャンネルから相応の音が出力されず、低域（具体的には６３Ｈｚ帯域）が不足するような再生音になってしまう。
【００６２】
（問題２）
ＷＦチャンネルは重低音の帯域まで周波数帯域が延びているので、３１Ｈｚ帯域まで補正が必要になってしまう。この状態で全チャンネル位相整合モードに設定した場合、全チャンネルで同一のイコライザ補正値が設定されるので、ＷＦチャンネル以外のチャンネルも３１Ｈｚ帯域においてイコライザ補正を施すこととなる。そのため、３１Ｈｚ帯域においてプラス方向のゲインを有するイコライザ補正値が設定された場合には、再生できない帯域を無理に出力させようとすることで、スピーカ６に負担を与えたり、異音を感じさせたりすることになってしまう。
【００６３】
（３）６３Ｈｚ帯域０ｄＢ固定フラグ
また、本実施例では、全チャンネル位相整合モードにおいて各チャンネルのイコライザ補正値を決定するに当たって６３Ｈｚ帯域を０ｄＢに固定するために、６３Ｈｚ帯域０ｄＢ固定フラグをオン（63hz_0db_fix_flag＝１）に設定する。つまり、本実施例では、６３Ｈｚ帯域を周波数補正帯域から敢えて除外して０ｄＢに固定する。言い換えると、６３Ｈｚ帯域のイコライザ補正値を０とする。なお、６３Ｈｚ帯域０ｄＢ固定フラグがオフである場合には（63hz_0db_fix_flag＝０）、６３Ｈｚ帯域を０ｄＢに固定せずにイコライザ補正値を決定する。
【００６４】
１つの例（以下「第１の例」と呼ぶ。）では、６３Ｈｚ帯域を０ｄＢに固定してイコライザ補正値を決定する方法として、６３Ｈｚ帯域に補正バンドが無いがごとくイコライザ補正値を決定する方法を用いることができる。他の例（以下「第２の例」と呼ぶ。）では、６３Ｈｚ帯域において必要な利得分だけ全帯域の補正バンドの利得を減算して、イコライザ補正値を決定する方法を用いることができる。第２の例によれば、第１の例の６３Ｈｚ帯域に補正バンドが無いがごとくイコライザ補正値を決定する方法と比較して、帯域間のレベルを維持することが出来る利点がある。
【００６５】
逆に、第２の例では、６３Ｈｚ帯域において必要な利得分だけ全帯域の補正バンドの利得から減算するので、イコライザのパラメータが全帯域に渡って６３Ｈｚの影響を受けることになる。仮に６３Ｈｚに絶対値の大きな利得が必要になるような場合には、全帯域に絶対値の大きな利得のパラメータが設定されてしまう事になる。このことは、あまり大きなイコライザ補正を全帯域に渡って施したくない、といった高級志向のユーザの要求を満たさないことになる。この点では、第１の例の方法が有利であり、あまり大きなイコライザ補正を全帯域に渡って施すということがなく、高級志向のユーザの要求を満すことが出来る。
【００６６】
ここで、上記のように６３Ｈｚ帯域を０ｄＢに固定するのは、６３Ｈｚ帯域を０ｄＢに固定しないと以下のような問題３、４が発生し得るからである。つまり、本実施例では、以下の問題３、４を回避するために、６３Ｈｚ帯域を０ｄＢに固定して測定分析を行うことでイコライザ補正値を決定する。
【００６７】
（問題３）
図８を参照して、問題３について説明する。図８（Ａ）及び（Ｂ）は、ＷＦチャンネル以外のチャンネルの周波数特性の一例を示し、図８（Ｃ）は、ＷＦチャンネルの周波数特性の一例を示している。また、図８（Ｂ）及び（Ｃ）中の破線Ａ２は、６３Ｈｚ帯域に適用されたイコライザ補正によるゲイン（プラス方向のゲイン）の例を示している。
【００６８】
ＷＦチャンネル以外のチャンネルは、３１Ｈｚ帯域はほとんど応答が落ちている場合が多い（図８（Ａ）中の破線領域Ａ１参照）。これに対して、ＷＦチャンネルは、一般的に、ＷＦチャンネル以外のチャンネルと比較してより低域の再生能力が高く、３１Ｈｚ帯域まで再生可能な場合が多い（図８（Ｃ）中の破線領域Ａ４参照）。３１Ｈｚ帯域まで再生可能なサブウーファー６ＷＦに、６３Ｈｚ帯域を０ｄＢに固定する処理を行わずにイコライザ補正値のコピー及びイコライザ補正を行うと、３１Ｈｚ帯域と６３Ｈｚ帯域との間に比較的大きなレベル差が生じ得る（図８（Ｃ）中の矢印Ａ３参照）。その場合、レベル差の変化が認識されることで、サブウーファー６ＷＦの音色に違和感が生じてしまう場合がある。他方で、ＷＦチャンネル以外のチャンネルでは、３１Ｈｚ帯域がもともとあまり出力されないので、６３Ｈｚ帯域についてイコライザ補正を施しても３１Ｈｚ帯域という比較対象がほとんど無いため、このような違和感は生じない（図８（Ｂ）参照）。
【００６９】
以上のように、サブウーファー６ＷＦにおいては、３１Ｈｚ帯域が十分に再生されるので、６３Ｈｚ帯域についてイコライザ補正を施すと聴感上の問題が生じ得る。
【００７０】
（問題４）
一般的に、ＷＦチャンネルのレベルの調整は、ピンクノイズを再生し、レベルを計測することで行われるが、上述のように３１Ｈｚ帯域と６３Ｈｚ帯域との間に比較的大きなレベル差が生じてしまうと、比較的レベルの大きい帯域を支配的に重視して計測してしまう。そのため、レベルの大きい帯域では問題ない音量に調整されるが、差のついた分、レベルの小さい帯域では小さく聞こえる音量になってしまう。例えば、重低音が出力されない等の問題が生じ得る。
【００７１】
［処理フロー］
次に、本実施例において行われる処理フローについて、図９及び図１０を参照して説明する。
【００７２】
図９は、イコライザ補正値設定処理を示すフローチャートである。このフローは、信号処理回路２において実行される。なお、当該フローは、前述した自動音場補正モードが設定されている場合に実行される。
【００７３】
まず、ステップＳ１１では、全チャンネル位相整合モードが設定されているか否かが判定される。この場合、システムコントローラＭＰＵの指示に基づいて、当該判定が行われる。例えば、全チャンネル位相整合モードは、ユーザの選択によって設定される。
【００７４】
全チャンネル位相整合モードが設定されている場合（ステップＳ１１：Ｙｅｓ）、ステップＳ１２において、全チャンネルパワー合成フラグがオンに設定されると共に（all_ch_pow_mix_flag＝１）、６３Ｈｚ帯域０ｄＢ固定フラグがオンに設定される（63hz_0db_fix_flag＝１）。そして、処理はステップＳ１４に進む。これに対して、全チャンネル位相整合モードが設定されていない場合（ステップＳ１１：Ｎｏ）、ステップＳ１３において、全チャンネルパワー合成フラグがオフに設定されると共に（all_ch_pow_mix_flag＝０）、６３Ｈｚ帯域０ｄＢ固定フラグがオフに設定される（63hz_0db_fix_flag＝０）。そして、処理はステップＳ１４に進む。
【００７５】
ステップＳ１４では、ステップＳ１２又はステップＳ１３で設定されたフラグ等に従って、イコライザ補正値が算出される。具体的には、全チャンネル位相整合モードが設定されている場合には、全チャンネルパワー合成フラグがオンに設定され、６３Ｈｚ帯域０ｄＢ固定フラグがオンに設定されているため、以下の手順でイコライザ補正値が算出される。まず、信号処理部２０において、スイッチ素子ＳＷＮをオンに設定し、スイッチ素子ＳＷ１１〜ＳＷ５１、ＳＷ７１、ＳＷ８１をオンに設定し（スイッチ素子ＳＷ６１はオフに設定する）、スイッチ素子ＳＷ１２〜ＳＷ８２をオフに設定することで、ＷＦチャンネルを除く全チャンネルから同時に測定用信号ＤＮを出力し、マイクロホン８でこれを集音して集音データＤＭを信号処理回路２へ入力する。そして、係数演算部３０内の周波数特性補正部１１は、集音データＤＭに基づいてイコライザＥＱの特性を調整するためのイコライザ補正値を算出する。この場合、周波数特性補正部１１は、６３Ｈｚ帯域を０ｄＢに固定してイコライザ補正値を算出する。６３Ｈｚ帯域を０ｄＢに固定する方法は、「（３）６３Ｈｚ帯域０ｄＢ固定フラグ」のセクションで例示した方法を適用することができる。なお、上記のようにイコライザ補正値を算出する前に、ＷＦチャンネルを除く全チャンネルについてチャンネル間レベル補正処理を行うことで、当該全チャンネルのレベルを一致させておくと良い。
【００７６】
他方で、全チャンネル位相整合モードが設定されていない場合には、全チャンネルパワー合成フラグがオフに設定され、６３Ｈｚ帯域０ｄＢ固定フラグがオフに設定されているため、以下の手順でイコライザ補正値が算出される。この場合には、各チャンネルから順に測定用信号ＤＮを出力させることで、各チャンネルで個別にイコライザ補正値を算出する。具体的には、まず、信号処理部２０において、スイッチ素子ＳＷＮをオンに設定し、スイッチ素子ＳＷ１１をオンに設定し、スイッチ素子ＳＷ２１〜ＳＷ８１及びスイッチ素子ＳＷ１２〜ＳＷ８２をオフに設定することで、ＦＬチャンネルのみから測定用信号ＤＮを出力し、マイクロホン８でこれを集音して集音データＤＭを信号処理回路２へ入力する。そして、係数演算部３０内の周波数特性補正部１１は、集音データＤＭに基づいて、ＦＬチャンネルに対応するイコライザＥＱ１の特性を調整するためのイコライザ補正値を算出する。この後、周波数特性補正部１１は、ＷＦチャンネルを除く全チャンネルについてイコライザ補正値を算出するまで、各チャンネルごとに順にイコライザ補正値を算出する。なお、全チャンネル位相整合モードが設定されていない場合（つまり６３Ｈｚ帯域０ｄＢ固定フラグがオフである場合）には、周波数特性補正部１１は、６３Ｈｚ帯域を０ｄＢに固定せずにイコライザ補正値を算出する。
【００７７】
以上のように算出されたイコライザ補正値に従ってイコライザＥＱにてイコライザ補正が行われる。なお、オーディオシステム１００においては、自動音場補正処理として、図９に示したイコライザ補正値設定処理（言い換えると周波数特性補正処理）以外にも、チャンネル間レベル補正処理や遅延特性補正処理などが行われるが、これらについては説明を省略する。
【００７８】
図１０は、音源信号再生処理を示すフローチャートである。このフローは、信号処理回路２において実行される。なお、当該フローは、前述した音源信号再生モードが設定されている場合に実行される。
【００７９】
まず、ステップＳ２１では、全チャンネル位相整合モードが設定されているか否かが判定される。この場合、システムコントローラＭＰＵの指示に基づいて、当該判定が行われる。
【００８０】
全チャンネル位相整合モードが設定されている場合（ステップＳ２１：Ｙｅｓ）、ステップＳ２２において、サブウーファーＥＱフラグがオンに設定される（sw_eq_flag＝１）。そして、処理はステップＳ２４に進む。これに対して、全チャンネル位相整合モードが設定されていない場合（ステップＳ２１：Ｎｏ）、ステップＳ２３において、サブウーファーＥＱフラグがオフに設定される（sw_eq_flag＝０）。そして、処理はステップＳ２４に進む。
【００８１】
ステップＳ２４では、信号処理回路２内の信号処理部２０が、ステップＳ２２又はステップＳ２３で設定されたフラグ等に従って、音源１からの信号を再生するための処理を行う。具体的には、信号処理部２０は、ＤＶＤ、ＢＤその他の各種音楽ソースを再生する音源１から複数チャンネルのデジタルオーディオ信号を受け取り、各チャンネル毎に周波数特性補正、レベル補正及び遅延特性補正を施してデジタル出力信号ＤＦＬ〜ＤＳＢＲを出力する。この場合、スイッチ素子ＳＷ１２〜ＳＷ８２をオンに設定し、スイッチ素子ＳＷＮ及びスイッチ素子ＳＷ１１〜ＳＷ８１をオフに設定する。
【００８２】
より具体的には、信号処理部２０は、全チャンネル位相整合モードが設定されている場合、つまりサブウーファーＥＱフラグがオンである場合には、ＷＦチャンネル以外のチャンネルについては、同一のイコライザ補正値（図９のフローで決定されたイコライザ補正値）によってイコライザ補正を行い、ＷＦチャンネルについては、ＷＦチャンネル以外のチャンネルにおいて６３Ｈｚ帯域、１２５Ｈｚ帯域及び２５０Ｈｚ帯域に適用されたイコライザ補正値をコピーしてイコライザ補正を行う。他方で、信号処理部２０は、全チャンネル位相整合モードが設定されていない場合、つまりサブウーファーＥＱフラグがオフである場合には、ＷＦチャンネル以外のチャンネルについては、各チャンネルごとに決定されたイコライザ補正値（図９のフローで決定されたイコライザ補正値）によってイコライザ補正を行い、ＷＦチャンネルについてはイコライザ補正を行わない。
【００８３】
［変形例］
上記した実施例では、ＷＦチャンネル以外のチャンネルにおいて所定の低音帯域（６３Ｈｚ帯域、１２５Ｈｚ帯域及び２５０Ｈｚ帯域）に適用されたイコライザ補正値のみをＷＦチャンネルに適用していたが、ＷＦチャンネル以外のチャンネルにおいて全周波数帯域（つまりオーディオ帯域６３Ｈｚ〜１６ｋＨｚ帯域）に適用されたイコライザ補正値を全てＷＦチャンネルに適用しても良い。つまり、全周波数帯域において、ＷＦチャンネルを含む全チャンネルで同一のイコライザ補正値を用いても良い。
【００８４】
また、上記した実施例では、ＷＦチャンネル以外のチャンネルにおいて６３Ｈｚ帯域、１２５Ｈｚ帯域及び２５０Ｈｚ帯域に適用されたイコライザ補正値をＷＦチャンネルに適用していたが、イコライザ補正値をＷＦチャンネルに適用する帯域として６３Ｈｚ帯域、１２５Ｈｚ帯域及び２５０Ｈｚ帯域を用いることに限定はされない。例えば、各種のサブウーファーが有する再生帯域や、サブウーファー以外のチャンネルが出力可能な最低帯域などに応じた種々の帯域を、ＷＦチャンネル以外のチャンネルに適用されたイコライザ補正値をＷＦチャンネルに適用する帯域として用いることができる。
【００８５】
また、上記した実施例では、６３Ｈｚ帯域を０ｄＢに固定していたが、０ｄＢに固定する帯域として６３Ｈｚ帯域を用いることに限定はされない。例えば、各種のサブウーファーが有する再生帯域や、サブウーファー以外のチャンネルが出力可能な最低帯域などに応じた種々の帯域を、０ｄＢに固定する帯域として用いることができる。
【００８６】
また、上記した実施例の他の例では、直線位相フィルタによって補正を行うことができる。その場合、通常通り自動音場を測定して補正パラメータを決定した後に、上記したイコライザを直線位相フィルタ化して、補正を実行すれば良い。これにより、全チャンネル直線位相のフィルタであれば、サブウーファーにイコライザを適用することなく、目的とする全チャンネル同位相を実現することができる。
【００８７】
［適用例］
本発明は、例えばＡＶレシーバやホームシアターシステムなどに適用することができる。
【符号の説明】
【００８８】
１  音源
２  信号処理回路
３  測定用信号発生器
６  スピーカ
８  マイクロホン
９  増幅器
１０  Ａ／Ｄ変換器
１１  周波数特性補正部
１２  チャンネル間レベル補正部
１３  遅延特性補正部
ＡＴＧ１〜ＡＴＧ８  チャンネル間アッテネータ
ＤＬＹ１〜ＤＬＹ８  遅延回路
ＥＱ１〜ＥＱ８  イコライザ
ＧＥＱ  グラフィックイコライザ
ＭＰＵ  システムコントローラ
ＳＷ１１〜ＳＷ８２、ＳＷＮ  スイッチ素子
【図１】
2014146966.tif 000003
【図２】
2014146966.tif 000004
【図３】
2014146966.tif 000005
【図４】
2014146966.tif 000006
【図５】
2014146966.tif 000007
【図６】
2014146966.tif 000008
【図７】
2014146966.tif 000009
【図８】
2014146966.tif 000010
【図９】
2014146966.tif 000011
【図１０】
2014146966.tif 000012